(57)【特許請求の範囲】
【請求項１】
ブラストガンから圧縮気体と共に研磨材を噴射するブラスト加工装置において，
ケーシング内に外部圧縮気体供給源に連通する搬送気流導入路と，この搬送気流導入路に一端が連通し，他端が前記ブラストガンに研磨材を搬送する研磨材搬送路を有する研磨材タンクと，該研磨材タンクのケーシング内において前記搬送気流導入路及び前記研磨材搬送路とは遮断された空間に貯溜される研磨材内，及び前記搬送気流導入路と前記研磨材搬送路間に形成される開口を成す研磨材取出部を回転自在に設けられ，且つ，前記研磨材取出部を連通する複数の計量孔を回転ディスクの円周方向に等間隔に貫通して形成すると共に，
前記ケーシングの底面に，他端が前記研磨材搬送路を有する位置を除く位置において前記計量孔の回転軌道方向に開口する圧縮気体導入路を貫通形成し，該圧縮気体導入路の一端を研磨材タンクのケーシング外の圧縮気体供給源に連通したことを特徴とする研磨材定量供給装置。
【請求項２】
前記研磨材タンクの底面を貫通して前記圧縮気体導入路を設けると共に，前記圧縮気体導入路の他端を前記回転ディスクに形成した前記計量孔に向けて開口したことを特徴とする請求項１記載の研磨材定量供給装置。
【請求項３】
前記水平方向に回転する回転ディスクの円周方向に前記計量孔を垂直に形成された計量孔の列を，同心状に複数列形成し，各列の形成位置に対応して，前記圧縮気体導入路を複数設けたことを特徴とする請求項２記載の研磨材定量供給装置。
【請求項４】
前記研磨材搬送路及び搬送気流導入路を複数組設けて前記研磨材取出部を，前記回転ディスクの等回転角度毎の位置に形成したことを特徴とする請求項１〜３いずれか１項記載の研磨材定量供給装置。
【請求項５】
前記回転ディスクの上面より前記研磨材を攪拌する攪拌翼を突設したことを特徴とする請求項１〜４いずれか１項記載の研磨材定量供給装置。
【請求項６】
前記ブラスト加工装置がサクション式のブラスト加工装置であり，前記搬送気流導入路の他端を，研磨材タンク外で開放したことを特徴とする請求項１〜５いずれか１項記載の研磨材定量供給装置。
【請求項７】
前記ブラスト加工装置が直圧式のブラスト加工装置であり，前記搬送気流導入路の他端を，圧縮気体供給源に連通したことを特徴とする請求項１〜５いずれか１項記載の研磨材定量供給装置。
【請求項８】
前記研磨材タンクを密閉可能として圧縮気体供給源に連通すると共に，前記搬送気流導入路の他端を，前記研磨材の充填位置の上限よりも高い位置において研磨材タンク内で開口させたことを特徴とする請求項７記載の研磨材定量供給装置。
【請求項９】
前記研磨材搬送路の一端開口部，及び前記搬送気流導入路の一端開口部に，前記回転ディスクと摺接するフランジを設けたことを特徴とする請求項１〜８いずれか１項記載の研磨材定量供給装置。
【発明の詳細な説明】
【技術分野】
【０００１】
本発明は研磨材定量供給装置に関し，より詳細には，ブラストガンより圧縮空気と共に研磨材を噴射するブラスト加工装置に使用して，前記ブラストガンから噴射する研磨材を一定量に調整するための装置に関する。
【背景技術】
【０００２】
圧縮空気と共に研磨材を噴射するブラスト加工装置において，噴射される研磨材の量にばらつきが生じると，加工対象に対する加工量が変化して加工精度にもばらつきが生じることから，噴射される研磨材が常に一定量となるように，ブラストガンより噴射する圧縮空気に対して研磨材を定量ずつ合流させる，研磨材定量供給装置が提案されている。
【０００３】
このような定量供給装置の一例として，図５及び図６を参照してサクション式ブラスト加工装置に使用する研磨材定量供給装置を例にとり説明すると，前述のサクション式ブラスト加工装置１は，図５に示すように，ブラストガン４０内に圧縮空気流路４１と，この圧縮気体流路４１より分岐した分岐路４２を設け，圧縮空気流路４１内に高圧の圧縮空気を導入すると，この際に生じるサクション力により研磨材が前記分岐路４２を介して吸引されて圧縮空気と共に噴射できるようにしたもので，このようなサクション式ブラスト加工装置に使用される研磨材定量供給装置１は，前述の圧縮空気流路４１と合流する分岐路である研磨材搬送路１１と，この研磨材搬送路１１に連通された研磨材タンク１０，及び前記研磨材搬送路１１に研磨材タンク１０内の研磨材を定量ずつ搬送する手段を備えている。
【０００４】
この，研磨材タンク１０内の研磨材を定量ずつ研磨材搬送路１１に搬送する手段として，図５及び図６に示す研磨材定量供給装置１では，外周面に複数のＶ字状の計量溝２３が形成されたドラム２０’を，その外周面の一部が研磨材上に露出するように研磨材タンク１０内の研磨材に埋没した状態で回転可能に収容しており，前記研磨材搬送路１１の一端１１ａを，前記研磨材上に露出したドラム２０’外周において前記計量溝２３に臨ませて配置することで，前記ドラム２０’の回転により前記計量溝２３内に捕集された研磨材が，前記研磨材搬送路１１内に吸引され，圧縮空気流路４１内を流れる圧縮空気と合流し，ブラストガン４０の先端より噴射されるように構成されている。
【０００５】
従って，前記ドラム２０’を回転駆動する電動モータ３０の回転数を例えばインバータなどで制御することで，この回転数の変化に応じて噴射する研磨材量の調整が可能である（特許文献１参照）。
【０００６】
また，このような研磨材の定量供給装置を直圧式のブラスト加工装置に適用する場合にあっては，図７に示すように外周に研磨材を定量ずつ計量する有底の計量孔２１’が多数形成されたドラム２０’を研磨材タンク１０内に配置し，このドラム２０’に設けた計量孔２１’に対峙して一端１１ａ’を開口する研磨材搬送路１１’の他端を，ブラストガン（図示せず）の先端より噴射する圧縮空気が流れる圧縮空気流路４１に連通すると共に，前記研磨材搬送路１１’に圧縮空気を導入する導管４３を更に設け，前記導管４３を介して研磨材搬送路１１’に導入された圧縮空気によって，前記計量孔２１’内に圧縮空気を吹き込み，計量孔２１’内に捕集された研磨材を吹き上げて圧縮空気流路４１内を流れる圧縮空気と合流させることで，圧縮空気と共に研磨材をブラストガンより定量ずつ噴射することができるように構成している。
【０００７】
この直圧式ブラスト加工装置用の研磨材定量供給装置１においても，前述したサクション式ブラスト加工装置用のものと同様に，ドラム２０’を回転するモータの回転数をインバータ等で制御することにより，ブラストガンより噴射される研磨材量が調整可能に構成されている（特許文献２参照）。
【０００８】
なお，研磨材の計量を行う計量孔として，特許文献２における有底孔に代えて，回転ディスクの肉厚方向を貫通する貫通孔を形成し，この貫通孔内に研磨材を捕集可能とした研磨材定量供給装置も提案されている（特許文献３参照）。
【０００９】
この発明の先行技術文献情報としては次のものがある。
【特許文献１】特開平  ９−  ３８８６４号公報
【特許文献２】特開平１１−３４７９４６号公報
【特許文献３】特開平１０−２４９７３２号公報
【発明の開示】
【発明が解決しようとする課題】
【００１０】
以上のように構成された従来の研磨材定量供給装置１において，特許文献１及び２に記載の研磨材定量供給装置１にあっては，いずれも研磨材の計量をドラム２０’の外周に形成した，有底の計量溝２３や計量孔２１’によって行うものであるが，このような計量溝２３や計量孔２１’をドラム２０’の全周に亘っていずれの位置においても均一の深さで形成するには極めて高い加工精度が要求される。そのため，加工の際に生じた計量溝２３や計量孔２１’の形成誤差は，そのまま計量される研磨材量の誤差となる。
【００１１】
しかも，特に特許文献２に示すように計量孔２１’を有底で，しかも比較的深さのある孔として形成する場合，孔の内部に研磨材が入り難く，各計量孔２１’内に捕集される研磨材量にばらつきが生じると共に，一旦計量孔２１’内に研磨材が入り込むと，圧縮空気の吹き付けによって全量取り出すことができない場合もあり，各計量孔２１’内に捕集された研磨材量が定量であること，及び計量孔２１’より取り出された研磨材が定量であること自体の信頼性が低い。
【００１２】
この点，特許文献３に記載の研磨材定量供給装置１にあっては，円盤状のディスクを肉厚方向に貫通する貫通孔を設け，この貫通孔によって研磨材の計量を行う計量孔を形成していることから，ディスクの肉厚が一定であれば，形成する計量孔の深さ（長さ）を一定にでき，しかも前述の有底孔とする場合に比較して，研磨材の流入や取り出しが行い易いものとなっている。
【００１３】
しかし，かりに各計量孔間においてその容量に誤差が生じていないとしても，計量孔内に対する研磨材の入り込みが不十分であったり，また，かりに計量孔内に必要量の研磨材が一旦捕集されたとしても，捕集後，研磨材搬送路１１（１１’）に搬送される迄の間に計量溝２３や計量孔２１’より研磨材が脱落する場合もあり，前記従来技術の構成において，最終的に研磨材搬送路１１（１１’）に搬送された研磨材が定量であることを保障する構成は設けられていない。
【００１４】
なお，前述の従来技術の構成においても，計量溝２３や計量孔２１’に対する研磨材の入り込みが不十分となることを防止するために，研磨材タンク１０やドラム２０’に振動を与えて計量溝２３等に研磨材を入り込み易くすると共に，計量溝２３等からはみ出ている余分な研磨材を振り落とすことができるように構成することも提案されているが（特許文献１「0019」欄他），このようにして研磨材タンク１０を振動させる場合には，研磨材の材質等によっては研磨材タンク１０内で研磨材が締め固められてブリッジを起こし，かえって流動性が低下する場合がある。
【００１５】
また，このように研磨材タンク１０やドラム２０’の振動により，一旦計量溝２３内に入り込んだ研磨材が振り落とされる場合もあり，前述のような振動を与えることによって必ずしも定量供給性を担保することができるものとはなっていない。
【００１６】
さらに，前述のように構成された従来の研磨材定量供給装置１にあっては，研磨材搬送路１１’や圧縮空気流路４１内の圧力が研磨材タンク１０内に漏れ出ることを防止するために，研磨材搬送路１１’の開口端縁に設けたスライダ２７をドラム２０’の外周に摺接させていることから，ドラム２０’，スライダ２７共に摩耗が激しく，頻繁な交換が必要であり，特に前記スライダとしては比較的高価であるボロン材が使用されていることからランニングコストがかかる。
【００１７】
さらに，搬送対象とする研磨材は，タンク１０内に投入する等して多数集合した状態で放置すると，時間の経過と共にブリッジを起こして固まる場合があり，このようにしてブリッジが生じると，著しく流動性が損なわれる。
【００１８】
そのため，このブリッジの発生により研磨材は前述の計量溝２３や計量孔２１’に対して入り込み難くなり，研磨材を正確に計量することがより一層困難となり，その結果，ブラストガンに供給される研磨材量にもばらつきが生じる。
【００１９】
特に研磨材として，砥粒を分散配合した弾性母材を所定の粒径に形成してなる弾性研磨材や，所定の粒径に形成された弾性母材の表面に砥粒を貼着する等して担持させて成る弾性研磨材を使用する場合，このような弾性研磨材では通常の研磨材に比較してブリッジを生じ易く，その結果，比較的長時間タンク内の研磨材を流動させることなく放置した後にブラスト加工を開始乃至は再開すると，ブラスト加工の開始時乃至は再開の初期において研磨材の供給量が一定せずに不安定となり，また，研磨材の供給自体を行うことができなくなる。
【００２０】
そのため，このような供給不良を防止しようとすれば，例えば終業時等，ブラスト加工装置を一定時間以上停止させる際に，ブラスト加工装置の研磨材タンク内に残っている弾性研磨材を全て抜き取り，ブラスト加工装置を再始動させる際に再度，研磨材をブラスト加工装置のタンクに再充填してからブラスト加工装置を始動して作業を開始するという極めて煩雑な作業が必要となっており，作業性が悪い。
【００２１】
なお，研磨材は粒径変化に伴って流動性が変化し，その結果，研磨材の粒径が小さく，流動性が比較的良い場合には研磨材タンク１０内に導入される研磨材量が増加し，研磨材タンク１０内における研磨材レベルが高めになる。一方，それを極力抑えるために，既知の研磨材タンク及び図示せざる回収タンクに振動を加える各バイブレータ（図示省略）が取り付けられているが，ここでは，前記回収タンクに振動を加えるバイブレータの調整を行うのであるが，これが非常に困難で，それにより流動性が低下すれば，研磨材タンク１０内における研磨材レベルが下がる。さらに，供給口４２（１１）においてブリッジ現象がおこり研磨材レベルが著しく不安定になることもある。
【００２２】
このようにして研磨材タンク１０内の研磨材量に増減が生じると，研磨材中に完全に埋没することなく，一部を研磨材より露出した状態で配置されたドラム等を備える前記従来の研磨材定量供給装置にあっては，研磨材タンク１０内の研磨材量の変化に伴って，前記ドラム等の埋没状態が変化し，計量溝２３に対する研磨材の入り込み方が変化したり，例えばドラムが比較的深い位置迄埋没すると，計量溝２３の周辺にも研磨材が付着する等して，このような研磨材が計量溝２３内の研磨材と共に供給されて研磨材の供給量が増える等，供給対象とする研磨材の粒径の変化に伴って，供給される研磨材量に変化が生じる。
【００２３】
そのため，前記構成を備えた従来の研磨材定量供給装置にあっては，研磨材の供給量を正確に制御するために使用する研磨材の粒径をも考慮する必要があり，複雑な調整が必要である。
【００２４】
なお，上記従来技術として説明したいずれの研磨材定量供給装置にあっても，前述のように研磨材を計量するドラムやディスクをその一部が露出するように研磨材中に埋設し，研磨材中に埋設されずに露出した部分において，計量孔や計量溝に捕集された研磨材を回収するように構成しているために，複数のブラストガンに対して同時に研磨材の定量供給を行おうとすれば，ブラストガンの数に応じて前述した研磨材定量供給装置を複数設けるか，又は，共通の研磨材タンクを使用するとしても，その内部に収容する前記ドラムやディスクをブラストガンに対応した個数設ける必要があり，部品点数の増加とブラスト加工装置の大型化を伴う。
【００２５】
そこで本発明は，上記従来技術における欠点を解消するためになされたものであり，計量孔に対する研磨材の導入が容易であると共に計量孔内の研磨材を取り出し易く，研磨材搬送路に対する搬送途中で計量孔内の研磨材量が変化せず，従って計量された研磨材を正確に搬送することができ，しかも，ブリッジが生じやすい研磨材，例えば前述した弾性研磨材を使用した場合であっても良好な流動性を確保して定量供給を行うことができ，さらに，対象とする研磨材の粒径変化に伴う研磨材タンク１０内の研磨材量の変化に影響されることなく，研磨材を定量供給することができると共に，複数のブラストガンに対して同時に研磨材の定量供給を行うことのできるブラスト加工装置用の研磨材定量供給装置を提供することを目的とする。
【課題を解決するための手段】
【００２６】
上記目的を達成するために，本発明の研磨材定量供給装置１は，ブラストガン４０，４０’から圧縮気体と共に研磨材を噴射するブラスト加工装置に適応され，前記ブラストガン４０，４０’に研磨材を定量供給する研磨材定量供給装置１であって，
ケーシング２内に外部圧縮気体供給源に連通する搬送気流導入路１２と，この搬送気流導入路１２に一端１１aが連通し，他端１１ｂが前記ブラストガン４０，４０’に研磨材を搬送する研磨材搬送路１１を有する研磨材を貯溜する研磨材タンク１０と，該研磨材タンクのケーシング内において前記搬送気流導入路及び前記研磨材搬送路と遮断された空間に貯溜される研磨材内において，好ましくは，研磨材中に全体を埋没した状態で，回転する回転ディスク２０を備え，該回転ディスク２０は，同時に，前記搬送気流導入路１２と前記研磨材搬送路１１間に形成される開口を成す研磨材取出部５を，回転自在に設けられ，前記回転に伴って，前記搬送気流導入路１２と前記研磨材搬送路１１間を前記研磨材取出部５を介して連通する複数の計量孔２１を前記回転ディスク２０の円周方向に等間隔で肉厚を貫通して形成すると共に，
前記ケーシング２の底面３に，他端１７ｂが前記研磨材取出部５すなわち研磨材搬送路１１を有する位置を除く位置において前記計量孔２１の回転軌道方向に開口する圧縮気体導入路１７を貫通形成し，該圧縮気体導入路１７の一端１７ａを研磨材タンク１０のケーシング外の圧縮気体供給源（図示せず）に連通したことを特徴とする（請求項１）。
【００２７】
前記構成の研磨材定量供給装置１において，前記研磨材タンク１０のケーシング２底面を貫通して前記圧縮気体導入路１７を設けると共に，前記圧縮気体導入路１７の他端１７ｂを前記回転ディスク２０に形成した前記計量孔２１に向けて開口した構成とすることができる（請求項２）。
【００２８】
上記構成の研磨材定量供給装置１において，前記水平方向に回転する回転ディスク２０の円周方向に前記計量孔２１を垂直方向に貫通して形成された計量孔の列（Ｌ１〜Ｌ３）を，同心状に複数列形成し，各列（Ｌ１〜Ｌ３）の形成位置に対応して，前記圧縮気体導入路１７を複数設けても良い（請求項３）。
【００２９】
さらに，前記研磨材搬送路１１及び搬送気流導入路１２を複数組設け，前記研磨材取出部５を，前記回転ディスク２０の等回転角度毎の位置に設けた構成とすることもできる（請求項４）。
【００３０】
前記回転ディスク２０には，その上面より前記研磨材を攪拌する攪拌翼２２を突設形成することもできる（請求項５）。
【００３１】
なお，前記ブラスト加工装置がサクション式のブラスト加工装置である場合，前記搬送気流導入路１２の他端１２ｂを，研磨材タンク１０のケーシング２外で開放した構成とすることができ（請求項６），また，
前記ブラスト加工装置が直圧式のブラスト加工装置である場合，前記搬送気流導入路１２の他端１２ｂを，圧縮気体供給源（図示せず）に連通した構成とすることができる（請求項７）。
【００３２】
この場合，前記研磨材タンク１０を密閉可能として圧縮気体供給源に連通すると共に，前記搬送気流導入路１２の他端１２ｂを，前記研磨材の充填位置の上限よりも高い位置において研磨材タンク内で開口させて，前記搬送気流導入路１２の他端１２ｂと圧縮空気供給源との連通を行うものとしても良い（請求項８）。
【００３３】
さらに，前記研磨材搬送路１１の一端１１ａ開口部，及び前記搬送気流導入路１２の一端１２ａ開口部に，前記回転ディスク２０と摺接するフランジ１１ｃ，１２ｃをそれぞれ設けるものとしても良い（請求項９）。
【発明の効果】
【００３４】
以上説明した本発明の構成により，本発明の研磨材定量供給装置１によれば，以下のような顕著な効果を得ることができた。
【００３５】
計量孔２１を有する回転ディスク２０を一定速度で回転させて，該研磨材タンクのケーシング内において前記搬送気流導入路及び前記研磨材搬送路とは遮断された空間に貯留される研磨材を計量孔２１内に充填し研磨材搬送路１１に連続的に搬送し，これによりブラストガン４０より定量的に研磨材を噴射することが可能となった。
【００３６】
特に，水平方向に回転する回転ディスク２０に形成した計量孔２１を，垂直方向に形成した貫通孔とすれば，計量孔２１内に研磨材が流入し易く，しかも，比較的肉薄である回転ディスク２０に形成された計量孔２１は比較的浅いものであり，研磨材が計量孔２１内により一層入りやすい。
【００３７】
さらに，回転ディスク２０は，研磨材内に埋没されていることから，計量孔２１内は常に研磨材で満たされた状態にあり，回転ディスク２０の回転によっても計量孔内に捕集された研磨材量が変化することがなく，その結果，常に一定量の研磨材を研磨材搬送路に搬送することが可能である。
【００３８】
加えて，回転ディスク２０の回転に伴って，計量孔２１が研磨材搬送路１１の一端１１ａにおける開口部と，搬送気流導入路１２の一端１２ａにおける開口部との間に移動する際，計量孔２１内に収まっていない研磨材は，研磨材搬送路１１の開口縁及び搬送気流導入路１２の開口縁によって剥き落とされて除去されることから，研磨材搬送路１１に導入される研磨材量を極めて正確な量とすることができた。
【００３９】
しかも，従来技術として説明したボロン材等からなるスライダを摺接する構造に比較して安価であり，ランニングコストの低減を果たすことができた。
【００４０】
さらに，研磨材取出部５以外で計量孔２１の形成位置の上部空間に向けて開口し，圧縮気体を噴射する圧縮気体導入路１７を設けたことから，圧縮気体の噴射により前記位置の研磨材を攪拌してブリッジ等により流動性が悪化した研磨材の流動性を回復させることができ，回転ディスク２０の計量孔２１内に円滑に研磨材を充填することができた。
【００４１】
このように，研磨材搬送路１１に搬送される研磨材量を正確に計量することができたことから，従来技術として説明した研磨材定量供給装置１に比較して，より理論値に近い研磨材の噴射量を得ることができ，研磨材供給量の制御が容易である。
【００４２】
回転ディスク２０が研磨材タンク１０内において研磨材中に全体的に埋没した状態にあることから，使用する研磨材の粒径変化に伴う流動性の変化によって研磨材タンク１０内の研磨材量が増減した場合であっても，このような研磨材タンク１０内の研磨材量の変化によって，研磨材の供給量が変化しない研磨材定量供給装置を提供することができた。
【００４３】
圧縮気体導入路を研磨材タンクの底面を貫通して設けると共に，計量孔２１に向けて開口した構成にあっては，計量孔２１の上部に存在する研磨材に圧縮気体を正確に噴射して，計量孔２１内に落下させることができた。
【００４４】
計量孔２１を複数列（Ｌ１〜Ｌ３）設けた場合において，前記圧縮気体導入路１７を各計量孔２１の列の形成位置に対応して設けた場合には，全ての計量孔２１の列（Ｌ１〜Ｌ３）上にある研磨材を攪拌することができ，全ての列（Ｌ１〜Ｌ３）の計量孔２１に対して研磨材を確実に充填することが可能であった。
【００４５】
また，前述のように研磨材内で埋没した状態で水平回転する回転ディスク２０の計量孔２１より研磨材を取り出す構成であるため，所定の回転角度毎に研磨材搬送路１１と搬送気流導入路１２を配置した構成を採用することが可能であり，その結果，単一の回転ディスク２０のみを備えた単一の研磨材定量供給装置１によって，複数のブラストガン４０，４０’に対して同時に研磨材を定量供給することができる研磨材定量供給装置を提供することができた。
【００４６】
回転ディスク２０の上面に，上方に向かって突出する攪拌翼２２を設けた場合には，研磨材にブリッジが生じて固まっている場合であっても，回転ディスク２０上方の研磨材をこの攪拌翼２２によって攪拌してほぐすことで，流動性を得ることができ，これにより研磨材を下方に落下させて回転ディスク２０に設けた計量孔２１内に好適に流入させることができた。
【００４７】
なお，本発明の研磨材定量供給装置１の構成は，研磨材搬送路１１の接続，及び搬送気流導入路１２の他端１２ｂ開口位置乃至は接続を変更することで，サクション式，直圧式いずれのブラスト加工装置に対しても適用可能なものとすることができた。
【００４８】
研磨材搬送路１１の一端開口部，及び搬送気流導入路１２の一端開口部周縁にフランジ１１ｃ，１２ｃを設けた構成にあっては，計量孔２１の孔径を，研磨材搬送路１１や搬送気流導入路１２を画成する壁面の肉厚（例えば，研磨材搬送路１１や搬送気流導入路１２を管路によって形成した場合には，この管の肉厚）よりも大きくした場合であっても，計量孔２１を介して研磨材搬送路１１が研磨材タンク１０内の貯溜空間１３と連通して研磨材が漏出することを好適に防止することができた。
【発明を実施するための最良の形態】
【００４９】
次に，本発明の実施形態につき添付図面を参照しながら以下説明する。
【００５０】
〔サクション式ブラスト加工装置用の研磨材定量供給装置〕
１．全体構成
図１〜３に，サクション式のブラスト加工装置に適用される本発明の研磨材定量供給装置１を示す。
【００５１】
この研磨材定量供給装置１は，研磨材が貯溜された研磨材タンク１０と，この研磨材タンク１０のケーシング２内に設けられ，研磨材をブラスト加工装置のブラストガン４０に搬送する研磨材搬送路１１，前記研磨材搬送路１１の一端１１ａ開口部に一端１２ａを対向して開口し，前記研磨材搬送路１１に研磨材を搬送するための気流を導入する搬送気流導入路１２，及び研磨材を計量して前記研磨材搬送路１１の一端１１ａ開口部と前記搬送気流導入路１２の一端１２ａ開口部間に形成された研磨材取出部５を通過して，前記研磨材搬送路１１に研磨材を定量ずつ導入する回転ディスク２０を備えている。
【００５２】
本実施形態の研磨材定量供給装置１にあっては，一例として前記回転ディスク２０の回転方向に等回転角度毎に４組の前記研磨材搬送路１１と搬送気流導入路１２を配置（図１参照），各研磨材搬送路１１を介して４つのブラストガン４０に同時に研磨材を定量供給することができるように構成している。
【００５３】
もっとも，１台の研磨材定量供給装置１によって研磨材の供給を可能とするブラストガン４０の数は，図示の実施形態に限定されず，回転ディスク２０のサイズ，研磨材搬送路１１及び搬送気流導入路１２の取付個数等に応じて変更可能である。
【００５４】
２．回転ディスク
前述の回転ディスク２０は，後述する研磨材タンク１０内に充填された研磨材中にその全体を埋没させた状態で水平方向に回転することができるように設けられたものであり，この回転ディスク２０には，このディスク２０の肉厚を貫通する貫通孔を所定間隔で円周方向に並べて配置し，この貫通孔によって搬送する研磨材を計量する計量孔２１を形成している。
【００５５】
すなわち，回転ディスク２０の所定の回転角度に対して前述の研磨材取出部５を通過する計量孔２１の容積の和が一定となるように形成すること，例えば，同一の容積に形成した計量孔２１を，前記回転ディスクの円周方向に整列して配置することで，各計量孔２１内に同一量の研磨材を捕集することができ，各計量孔２１に捕集された研磨材を，回転ディスク２０の回転数を一定とすることにより，一定の速度で研磨材搬送路１１に搬送することで，ブラストガン４０より噴射される研磨材量を定量としている。
【００５６】
図１に示す実施形態にあっては，この計量孔２１として，Ｌ１〜Ｌ３の三列を同心状に並べて配置しているが，計量孔２１の列は一又は二列であっても良く，又は４列以上で設けても良い。このように複数列の計量孔２１を設ける場合，各列Ｌ１〜Ｌ３毎に計量孔２１の径（容積）を異なるものとしても良く，図示の実施形態にあっては中央の計量孔列Ｌ２に設けた計量孔２１のみを，他の列Ｌ１，Ｌ３に設けた計量孔２１に比較して大きく形成している。
【００５７】
以上のように形成された回転ディスク２０の中心には，研磨材タンク１０のケーシング２外より，研磨材タンク１０のケーシングの天板部分（もしくは底板部分でも良い）を貫通して内部に挿入された回転シャフト２５が固着され，後述する電動モータ３０等の回転手段によって回転される回転シャフト２５の回転に伴って回転ディスク２０が研磨材タンク１０内を所定の速度で水平方向に回転することができるように構成されている。
【００５８】
また，回転ディスク２０の上面には，好ましくは上方に向かって突出する攪拌翼２２を設け，この攪拌翼２２によって，回転ディスク２０の回転時，回転ディスク２０の上方にある研磨材を攪拌することができるように構成する。
【００５９】
図示の実施形態にあっては，この攪拌翼２２を板状のものとして構成しているが，回転ディスク２０の上方にある研磨材を攪拌し得るものであれば，攪拌翼２２の形状は板状に限定されず，例えば棒状，その他の形状であっても良い。
【００６０】
本実施形態にあっては，この攪拌翼２２を，１８０°の等間隔で対称の位置に配置して，計２枚の攪拌翼を設けたが，攪拌翼２２の配置個数は二枚以上であっても良い。
【００６１】
３．研磨材タンク
前述の回転ディスク２０が収容される研磨材タンク１０は，ケーシング２内に前述の回転ディスク２０を回転可能に収容すると共に，ブラストガン４０に対して供給する研磨材を貯溜する貯溜空間１３を内部に備えている。
【００６２】
この研磨材タンク１０内の前記貯溜空間１３には，回転ディスク２０に設けた前述の攪拌翼２２と干渉しない位置に，後述するブラストガンに連通される研磨材搬送路１１が配置されていると共に，この研磨材搬送路１１の一端１１ａ開口部を，前記回転ディスク２０と近接又は接触するように，計量孔２１に臨ませて配置している。
【００６３】
前述したように，４本のブラストガン４０に対して同時に研磨材を供給可能とした本実施形態の研磨材定量供給装置１にあっては，同様に４つの前記研磨材搬送路１１を設け，各研磨材搬送路１１の一端１１ａにおける開口部を，それぞれ前記回転ディスクの回転方向に等角度（９０度）毎に配置した。
【００６４】
この研磨材搬送路１１の一端１１ａにおける開口部が近接乃至は接触配置された回転ディスク２０の面（図示の例では回転ディスク２０の下面）とは反対側の面（図示の例では上面）には，回転ディスク２０を介して前記研磨材搬送路１１の一端１１ａにおける開口部と対峙するように，搬送気流導入路１２の一端１２ａにおける開口部を近接乃至は接触状態に配置しており，これにより，研磨材搬送路１１の一端１１ａにおける開口部と，搬送気流導入路１２の一端１２ａにおける開口部１２ａ間に，前述の研磨材取出部５が形成され，前記回転ディスク２０がその回転に伴ってこの研磨材取出部５を通過するように構成されている。
【００６５】
この搬送気流導入路１２の他端１２ｂは，研磨材搬送路１１内が負圧となった際に空気の導入を可能と成す位置で開口されており，本実施形態では研磨材タンク１０のケーシング２の側面を貫通して研磨材タンク１０のケーシング外で大気開放した。
【００６６】
もっとも，この搬送気流導入路１２の他端１２ｂは，搬送気流導入路１２内に空気を導入可能な位置であればいずれの位置で開放していても良く，例えば研磨材タンク１０のケーシング２内において，研磨材充填位置の上限よりも高所において開放するようにしても良い。
【００６７】
前記研磨材搬送路１１の一端１１ａにおける開口部の周縁と，前記搬送気流導入路１２の一端１２ａにおける開口部の周縁には，それぞれの開口部周縁より外周方向に突出するフランジ１１ｃ，１２ｃを設け，このフランジ１１ｃ，１２ｃを回転ディスク２０の表裏面にそれぞれ摺接させるものとしても良い。
【００６８】
このフランジ１１ｃ，１２ｃは，研磨材搬送路１１や搬送気流導入路１２を管路によって形成する場合等，回転ディスク２０に形成した計量孔２１の径が，研磨材搬送路１１や搬送気流導入路１２を画成する壁面の肉厚に対して大きく形成されている場合に特に有効であり，計量孔２１が研磨材搬送路１１の肉厚と搬送気流導入路１２の肉厚間を通過する際に，研磨材搬送路１１が計量孔２１を介して研磨材タンク１０内の空間と直接連通することを防止すると共に，フランジ１１ｃ，１２ｃ間を回転ディスク２０が通過する際，回転ディスク２０に設けられた計量孔２１の上下開口部よりはみ出す研磨材を除去して，正確に計量された研磨材が，前記研磨材搬送路１１と搬送気流導入路１２の開口部１１ａ，１２ａ間に導入されるよう構成されている。
【００６９】
なお，図示の実施形態にあっては，研磨材搬送路１１の一端１１ａにおける開口部に設けた前述のフランジ１１ｃと，搬送気流導入路１２の一端１２ａにおける開口部に設けた前述のフランジ１２ｃとを，回転ディスク２０の外周側において連結して，断面コ字状に形成しているが，前記２枚のフランジ１１ｃ，１２ｃはこれを連結することなく上下に分離したものとして構成しても良い。
【００７０】
前述のように，各研磨材取出部５を通過する際に取り出される研磨材の，前記計量孔２１に対する充填は，前述の回転ディスク２０が一の研磨材取出部５を通過した後，次の研磨材取出部５に至る迄の間に行われ，回転ディスク２０の回転方向に隣接する２つの研磨材取出部５間には，計量孔２１に対する研磨材の充填位置である，研磨材充填部７が形成されている（図１参照）。
【００７１】
この研磨材充填部７において，計量孔２１に対する研磨材の充填を円滑に行うことができるようにするために，本発明の研磨材定量供給装置１にあっては，研磨材タンク１０内の前記研磨材充填部７において，回転ディスク２０の上方に存在する研磨材，特に回転ディスク２０に形成した計量孔２１の上方に存在する研磨材に対して圧縮気体を噴射して，この部分の研磨材を攪拌して研磨材に生じたブリッジ等を解消することで，計量孔２１内に流入し得る流動性を回復させることができるように構成している。
【００７２】
この圧縮気体の噴射は，前述した研磨材充填部７にある研磨材を攪拌して，ブリッジ等により流動性の悪化した研磨材の流動性を回復し得るものであれば如何なる位置，方法によって行うものであっても良く，例えば研磨材タンク１０のケーシング２の側壁を貫通して研磨材タンク１０のケーシング内で開口する圧縮気体導入路１７を設け，この圧縮気体導入路１７を介して研磨材タンク１０内に圧縮気体を噴射するように構成しても良い。
【００７３】
本実施形態にあっては，前記研磨材充填部７における研磨材タンク１０のケーシング２の底面を貫通して研磨材タンク１０内に圧縮気体を導入するための圧縮気体導入路１７を形成し，研磨材タンク１０のケーシング外に設けられたこの圧縮気体導入路１７の一端１７ａに図示せざる圧縮気体供給源を連通して圧縮気体（例えば圧縮空気）を導入すると共に，研磨材タンク１０内において前記回転ディスク２０に形成された前記計量孔２１に向かって開口する他端１７ｂより圧縮気体を間欠的に噴射して，回転ディスク２０の計量孔２１上にある研磨材を攪拌することができるように構成している。
【００７４】
図１に示すように，回転ディスク２０の９０度の回転角度毎に設けられた４つの研磨材取出部５間に，同様に４つの研磨材充填部７を設けた本実施形態において，この圧縮気体導入路１７は，各研磨材充填部７のそれぞれに設けても良く，また，１つの研磨材充填部７に対して複数の圧縮気体導入路１７を設けるものとしても良いが，この圧縮気体導入路１７は，必ずしも全ての研磨材充填部７に設ける必要はなく，図示の実施形態にあっては４つ設けた研磨材充填部７のうちの３つにのみ前記圧縮気体導入路１７を設けた構成とした。
【００７５】
回転ディスク２０に複数列の計量孔２１を形成する場合には，各計量孔２１の列（本実施形態にあってはＬ１，Ｌ２，Ｌ３）の形成位置に対応して前述の圧縮気体導入路１７を設けることが好ましく，図示の実施形態にあっては，図１中，紙面左側の研磨材充填部７に設けた圧縮気体導入路１７を最内周の計量孔２１の列Ｌ１が形成された位置に，紙面下側に設けた研磨材充填部７に設けた圧縮気体導入路１７を計量孔２１の列のうちの中央列Ｌ２の形成位置に，紙面右側に形成された研磨材充填部７に設けた圧縮気体導入路１７を，最外周の計量孔２１の列Ｌ３が形成された位置にそれぞれ対応して形成し，いずれの計量孔２１の列Ｌ１〜Ｌ３上にある研磨材に対しても圧縮気体を吹き付けることができるように構成した。
【００７６】
以上のように構成された圧縮気体導入路１７は，それぞれ研磨材タンク１０のケーシング２の外側において図示せざる圧縮気体供給源に連通され，この圧縮気体供給源より供給された圧縮気体が，前記各圧縮気体導入路１７を介して研磨材タンク１０の研磨材充填部７にある研磨材に噴射される。
【００７７】
この圧縮空気供給源と，前記各圧縮気体導入路１７間には，例えば電磁弁やボールバルブ等の開閉手段を設け，各圧縮気体導入路１７を介した圧縮気体の噴射が比較的短い間隔で間欠的に行われるようにする。
【００７８】
なお，図３中，符号１４は，研磨材タンク１０に対して研磨材を導入するための研磨材供給口であり，例えば，ブラストガン４０より噴射された研磨材を回収する回収タンク（図示せず）の下端に連通して，前記回収タンクに回収された研磨材を，研磨材タンク１０内に導入することができるように構成している。
【００７９】
なお，研磨材タンク１０内には，常に前述の回転ディスク２０が攪拌翼２２を含めて完全に埋設する量の研磨材を貯溜し，好ましくは常に一定量の研磨材が貯溜された状態を維持するように構成する。
【００８０】
このように研磨材タンク１０内の研磨材量を常に一定量とする構成としては，例えば研磨材供給口１４の下端を研磨材タンク１０内に突設して，研磨材の貯溜位置の上限に配置するように構成することができる。
【００８１】
このように構成することで，研磨材タンク１０内に研磨材を導入し，前記研磨材供給口１４の下端位置迄研磨材が貯溜されると，研磨材供給口１４の下端が研磨材によって塞がれるのでそれ以上の研磨材の落下が停止する。従って，研磨材タンク１０に対する研磨材の導入制御を特に行わない場合であっても，ブラストガン４０に対して研磨材が供給されて研磨材タンク１０内に貯溜された研磨材の上限位置が下降すると，この下降分，研磨材供給口１４を介して研磨材が落下，導入されて研磨材タンク１０内の研磨材を常に一定量に維持することができる。
【００８２】
なお，研磨材タンク１０内の研磨材量を一定量とする構成としては，このように研磨材供給口１４の下端を延長する構成のみならず，例えば研磨材タンク１０内の貯溜空間内に貯溜されている研磨材の上限位置を検知するセンサを設け，このセンサの検知信号に従って，研磨材タンク１０に対して研磨材を落下させる，図示せざる開閉弁等を設けた構成としても良い。
【００８３】
４．回転手段（電動モータ）
前述の回転ディスク２０を回転させる回転手段は，本実施形態にあっては研磨材タンク１０のケーシング２上に配置された電動モータ３０であり，この電動モータ３０に，研磨材タンク１０のケーシングの天板を貫通して設けられた回転シャフト２５の上端を連結すると共に，この回転シャフト２５の下端に，前述した回転ディスク２０を連結することで，この電動モータ３０の回転によって研磨材タンク１０内の回転ディスク２０を回転させることができるように構成されている。
【００８４】
この電動モータ３０は，前記回転ディスク２０の回転数を制御することが可能であれば，各種型式のモータを使用することができ，例えば直流モータを使用して入力する電圧の変化によって回転数を可変としても良く，又は，三相交流電動機を使用すると共に，インバータによって入力する電流の周波数を可変とすることで，回転数を制御するものとしても良い。
【００８５】
このように電動モータ３０の回転数を制御することにより，回転ディスク２０の回転数を制御して，所定時間内に前記研磨材取出部５を通過する計量孔２１の数，従ってこの計量孔によって搬送される研磨材量を変化させることで，ブラストガン４０に供給される研磨材量を正確に制御することができるものとなっている。
【００８６】
５．使用方法及び作用等
以上のように構成された本発明の研磨材定量供給装置１は，研磨材搬送路１１の他端１１ｂを，高圧の圧縮気体，例えば圧縮空気が流れる圧縮空気流路に合流させて使用する。
【００８７】
図３に示す実施形態にあっては，内部に圧縮空気流路４１と，この圧縮空気流路４１より分岐した分岐路４２とを備えたブラストガン４０を使用し，このブラストガン４０の前記分岐路４２に研磨材搬送路１１の他端開口部１１ｂを連通している。
【００８８】
なお，前述の電動モータ３０は，好ましくはブラストガン４０に対する圧縮空気の導入時においてのみ，設定された回転数で回転するように構成することが好ましく，これにより研磨材の噴射が行われていないときに回転ディスク２０が回転して，研磨材搬送路１１内に研磨材が落下して溜まり，ブラスト作業の開始時に多量の研磨材が噴射されることを防止できる。
【００８９】
以上のように本発明の研磨材定量供給装置１の研磨材搬送路１１の他端開口部１１ｂを，ブラストガン４０の分岐路４２に連通した状態で，ブラストガン４０の後端より図示せざる圧縮空気供給源からの圧縮空気を導入すると，この圧縮空気の導入によって分岐路４２を介して研磨材搬送路１１内が吸引され，他端開口部１２ｂを研磨材タンク１０のケーシング２外で開口する搬送気流導入路１２より導入された外気が，研磨材取出部５にある回転ディスク２０の計量孔２１を通過する。
【００９０】
この計量孔２１を通過する搬送気流により，計量孔２１内に捕集されていた研磨材が計量孔２１より取り出されて搬送気流と混合されて研磨材搬送路１１内に導入され，ブラストガン４０内に設けた圧縮空気流路４１内で圧縮空気供給源からの圧縮空気と合流してブラストガン４０の先端より噴射される。
【００９１】
このようにして，研磨材取出部５において内部に充填された研磨材が取り出され，空となった計量孔２１は，回転ディスク２０の回転に伴って前記研磨材取出部５からこの研磨材取出部５に隣接して設けられている研磨材充填部７に移動し，研磨材充填部７において研磨材タンク１０内に充填されている研磨材が前記計量孔２１内に落下して充填される。
【００９２】
この研磨材充填部７には，前述したように研磨材タンク１０のケーシング２の底面を貫通する圧縮気体導入路１７が設けられており，前記回転ディスク２０の計量孔２１上に存在する研磨材に向けて開口するこの圧縮気体導入路１７の他端１７ｂより圧縮気体を間欠的に噴射することで，研磨材を攪拌してブリッジ等によって悪化している研磨材の流動性が回復される。
【００９３】
前述の回転ディスク２０は，研磨材タンク１０内に水平方向に回転可能に設けられていると共に，この回転ディスク２０の肉厚を貫通して垂直方向に前述の計量孔２１が設けられていることから，流動性を回復した研磨材は，この計量孔２１内に円滑に流入する。
【００９４】
しかも，回転ディスク２０の上面より上方に向かって突出した攪拌翼２２を設けた場合には，圧縮気体導入路１７を介して導入された圧縮気体による攪拌のみならず，この攪拌翼２２によっても強制的に研磨材の攪拌が行われることから，かりに圧縮気体の噴射のみでは流動性を回復し得ない程に研磨材が固まっている場合であっても攪拌翼２２による攪拌によりほぐされて，計量孔２１内に好適に流入することができる。
【００９５】
なお，この回転ディスク２０は，研磨材タンク１０の貯溜空間１３内に貯溜された研磨材中に埋没されていることから，回転ディスク２０が研磨材内を回転する過程で，一旦，計量孔２１内に流入した研磨材が孔内より流出したとしても，回転ディスク２０周囲に存在する研磨材が計量孔２１内に入り込んでこの流出した研磨材を補い，計量孔２１内には常に一定量の研磨材が充填された状態となる。
【００９６】
また，このように研磨材中に埋没された回転ディスク２０は，研磨材中に完全に埋没することなく，一部露出した状態で使用されるドラムやディスクを備えた従来技術の研磨材定量供給装置とは異なり，研磨材タンク１０内の研磨材量が変化してもこれにより供給する研磨材量が変化しない。
【００９７】
このようにして，回転ディスク２０の計量孔２１内に捕集された研磨材は，回転ディスク２０の回転に伴って移動し，研磨材搬送路１１の一端開口部１１ａと搬送気流導入路１２の一端開口部１２ａ間による挟持部分を通過するときに余分な研磨材が除去されて，計量孔２１の容積に対応した量の研磨材のみが研磨材搬送路１１の一端開口部１１ａと搬送気流導入路１２の一端開口部１２ａ間に搬送される。
【００９８】
このようにして搬送された研磨材は，計量孔２１内を通過する気流と共に研磨材搬送路１１内に吸引されることから，従来技術として説明した有底の計量溝や計量孔を使用する場合とは異なり，計量孔２１内に研磨材を残すことなく，全量を研磨材搬送路１１に搬送可能である。
【００９９】
従って，ブラストガン４０より噴射される研磨材は，この回転ディスク２０によって計量された正確な量がブラストガン４０に供給され，噴射される。
【０１００】
前述のように，研磨材タンク１０内の研磨材量が常に一定となるように調整する手段を設けた場合には，研磨材タンク１０内の研磨材がブラストガン４０より噴射され減少すると，この減少分の研磨材が研磨材供給口１４を介して研磨材タンク１０内に導入されて，研磨材タンク１０内の研磨材が常に一定量となるように調整される。
【０１０１】
その結果，研磨材タンク１０内に貯溜されている研磨材の重量変化により，貯溜された研磨材の密集度（各粒体間の詰まり具合）に変化が生じることもなく，このような密集度の変化に伴う研磨材供給量の変化が生じることも防止されている。
【０１０２】
〔直圧式ブラスト加工装置用研磨材定量供給装置〕
次に，直圧式ブラスト加工装置に対して適用される本発明の研磨材定量供給装置を図４を参照して説明する。
【０１０３】
図３を参照して説明したサクション式のブラスト加工装置用研磨材定量供給装置１にあっては，ブラストガン４０に設けた圧縮空気流路４１内に圧縮空気を導入した際に生じた分岐路４２内の負圧により，分岐路４２に連通された研磨材搬送路１１内を吸引し，これにより研磨材搬送路１１の一端開口部１１ａが臨む計量孔２１内の研磨材を吸引してブラストガン４０に搬送可能としていたが，本実施形態にあっては，回転ディスク２０の前記研磨材搬送路１１の一端開口部１１ａが臨む面とは反対側から圧縮気体を計量孔２１内に吹き込み，この圧縮気体によって計量孔２１内の研磨材をブラストガン４０に搬送することができるように構成している。
【０１０４】
このように，回転ディスク２０に形成した計量孔２１内に圧縮気体の吹き込みを行うために，前述した搬送気流導入路１２の他端１２ｂに圧縮気体供給源を連通し，搬送気流導入路１２の一端１２ａにおける開口より吐出した圧縮気体を計量孔２１内に吹き込み，計量孔２１内で研磨材と混合された圧縮気体を研磨材搬送路１１に導入することができるように構成した。
【０１０５】
この，搬送気流導入路１２の他端１２ｂに対しては，配管等を介して圧縮気体供給源を直接連通するものとしても良いが，本実施形態にあっては研磨材タンク１０内に形成された貯溜空間１３を介して両者の連通を行い，圧縮気体供給源より導入された圧縮気体を一旦研磨材タンク１０内に導入し，この研磨材タンク１０内に導入された圧縮気体を，搬送気流導入路１２に導入するように構成した。
【０１０６】
このように，研磨材搬送路１１に対して圧縮気体を導入可能とするために，本実施形態にあっては研磨材タンク１０内を密閉可能に構成すると共に，この研磨材タンク１０内に圧縮気体を導入するタンク加圧管１６を連通した。
【０１０７】
そして，図３を参照して説明した研磨材定量供給装置１では研磨材タンク１０のケーシング２外に開放していた搬送気流導入路１２の他端１２ｂを，研磨材の貯溜位置上限よりも高所において研磨材タンク１０内で開口させ，タンク加圧管１６を介して研磨材タンク１０内に導入された圧縮気体を，搬送気流導入路１２を介して計量孔２１内に吹き込み可能に構成した。
【０１０８】
なお，このように研磨材タンク１０内を圧縮気体によって加圧する場合には，研磨材タンク１０のケーシング２の底面に形成した圧縮気体導入路１７を介して研磨材タンク１０内に導入する圧縮気体として，研磨材タンク１０内の圧力に比較して高圧の気体を導入する。
【０１０９】
その他の構成については，図３を参照して説明した研磨材定量供給装置１の構成と同様である。
【０１１０】
以上のように構成された研磨材定量供給装置１において，前述の研磨材搬送路１１の他端開口部１１ｂを直圧式ブラスト加工装置用のブラストガン４０’に連通する。
【０１１１】
図示の例においてこのブラストガン４０’は，後端より導入された圧縮気体と研磨材との混合流体を，その先端より噴射する構造のものとして示したが，圧縮気体と研磨材との混合流体を噴射し得る構造の既知の各種ブラストガンを使用可能である。
【０１１２】
以上の構成より，研磨材タンク内の圧縮気体は，研磨材タンク１０内で他端１２ｂを開口する搬送気流導入路１２に導入され，搬送気流導入路１２の一端１２ａにおける開口部より吐出されて回転ディスク２０に設けた計量孔２１内にその一端側より吹き込まれ，この計量孔２１内に捕集された研磨材と共に，他端側より吐出されて研磨材搬送路１１の一端１１ａ開口を介して研磨材搬送路１１内に導入される。その後，研磨材は圧縮空気と共に噴射ノズル４０’内に搬送されてその先端より噴射される。
【０１１３】
このようにして，計量孔２１内の研磨材は，計量孔２１内に吹き込まれた圧縮気体と共に吐出されることから，計量孔２１内に研磨材を余すことなく，全量を正確にブラストガン４０’に搬送することが可能である。
【０１１４】
そして，図３を参照して説明したサクション式のブラスト加工装置に適用される研磨材定量供給装置１と同様，回転ディスク２０の回転数を調整することによりブラストガン４０’に対して導入する研磨材量を正確に調整することが可能である。
【図面の簡単な説明】
【０１１５】
【図１】本発明の研磨材定量供給装置の平面透視図。
【図２】サクション式ブラスト加工装置用の研磨材定量供給装置の構成を示す図１のＩＩ−ＩＩ線断面概略図。
【図３】サクション式ブラスト加工装置用の研磨材定量供給装置の構成を示す図１のＩＩＩ−ＩＩＩ線断面概略図。
【図４】直圧式ブラスト加工装置用の研磨材定量供給装置の構成を示す図１のＩＩ−ＩＩ線断面概略図。
【図５】従来の研磨材定量供給装置（サクション式）の概略説明図（正面図）。
【図６】図５の右側面図。
【図７】従来の研磨材定量供給装置（直圧式）の概略説明図。
【符号の説明】
【０１１６】
１  研磨材定量供給装置
２  ケーシング
３  ケーシングの底（壁）面
５  研磨材取出部
７  研磨材充填部
１０  研磨材タンク
１１  研磨材搬送路
１１ａ  一端（研磨材搬送路１１の）
１１ｂ  他端（研磨材搬送路１１の）
１１ｃ  フランジ
１２  搬送気流導入路
１２ａ  一端（搬送気流導入路１２の）
１２ｂ  他端（搬送気流導入路１２の）
１２ｃ  フランジ
１３  貯溜空間
１４  研磨材供給口
１６  タンク加圧管
１７  圧縮気体導入路（ケーシング底面）
１７ａ  一端（圧縮気体導入路１７の）
１７ｂ  他端（圧縮気体導入路１７の）
２０  回転ディスク
２０’  ドラム
２１  計量孔（貫通孔）
２１’  計量孔（有底孔）
２２  攪拌翼
２３  計量溝
２５  回転シャフト
２７  スライダ
３０  電動モータ
４０，４０’  ブラストガン
４１  圧縮空気流路
４２  分岐路
４３  導管
Ｌ１〜Ｌ３  計量孔２１の列
【図１】
0005074136.tif 000002
【図２】
0005074136.tif 000003
【図３】
0005074136.tif 000004
【図４】
0005074136.tif 000005
【図５】
0005074136.tif 000006
【図６】
0005074136.tif 000007
【図７】
0005074136.tif 000008